(57)【特許請求の範囲】
【請求項１】
所定のパターンとして配置された複数の受光素子と、該受光素子に対し光軸を鉛直方向として上方から覆う集光レンズとから成り、前記複数の受光素子間の出力比により太陽の仰角及び方位角を計測する日射センサにおいて、前記受光素子を配置しフランジ部を設けた受光素子ホルダと、前記フランジ部の外径より大きな内径を有し前記受光素子ホルダの側に突出した嵌着部を設けた前記集光レンズとには、前記光軸に直交する面で接触し且つ前記受光素子ホルダと前記集光レンズとを、前記フランジ部の外径と前記嵌着部の内径との寸法差の隙間の範囲で摺動自在とする摺動面が設けられていることを特徴とする日射センサ。
【請求項２】
請求項１記載の日射センサにおいて、前記光軸方向に基準光源を配置し、この基準光源からの光に対して前記複数の受光素子からの出力が全て等しくなるように集光レンズ、若しくは、受光素子ホルダを前記摺動面に沿い摺動させ、出力差が可及的に低減された時点で前記集光レンズと受光素子ホルダとを固定して成ることを特徴とする日射センサの出力調整方法。
【発明の詳細な説明】
【０００１】
【発明の属する技術分野】
本発明は、車両に空調機器などを設けるときに、外部環境の計測の一部として光量の計測に加えて、太陽の高度（仰角）、方位などを計測ることで外部環境の予測の精度を高め、空調装置の温度調整などを乗員に対して一層に快適なものとするために設けられる日射センサに関するものである。
【０００２】
【従来の技術】
従来のこの種の日射センサ９０の構成の例を示すものが図５及び図６であり、この日射センサ９０は、複数、例えば４個の受光素子９２（ａ〜ｄ）が水平面内に所定のパターンとして配置された受光素子ホルダ９１と、前記したように配置が行われた受光素子９２（ａ〜ｄ）の中心に光軸Ｘを鉛直方向として上方から覆い、凸面と凹面とから成る略メニスカスレンズ状とした集光レンズ９３とから構成されている。
【０００３】
そして、前記受光素子ホルダ９１と集光レンズ９３とを所定の位置として組立を行うために、受光素子ホルダ９１側と集光レンズ９３側とには円筒状とした嵌着部９１ａ、９３ａが設けられ、受光素子ホルダ９１側の嵌着部９１ａに集光レンズ９３側の嵌着部９３ａが内径で嵌合するものとされると共に、例えば受光素子ホルダ９１側の嵌着部９１ａには段差部９１ｂが設けられ、集光レンズ９３側の嵌着部９３ａの先端が当接し、受光素子ホルダ９１と集光レンズ９３との位置決めが行えるものとされている。
【０００４】
このように構成された日射センサ９０においては、太陽の仰角αにより各受光素子９２（ａ〜ｄ）からの出力に差異が生じるものとなるので、例えば、受光素子９２ａと受光素子９２ｂとの出力を演算回路（図示せず）で比較、演算することで太陽の仰角αが測定できるものとなり、この演算結果により空調機器を制御することで乗員の快適性を一層に高めることが可能となる。
【０００５】
【発明が解決しようとする課題】
しかしながら、前記した従来の構成では、第一に、前記受光素子９２（ａ〜ｄ）を受光素子ホルダ９１に所定のパターンとして配置するときの前記受光素子９２（ａ〜ｄ）間の配置誤差。第二に、受光素子ホルダ９１と受光素子９２（ａ〜ｄ）との位置誤差。第三に、受光素子ホルダ９１と集光レンズ９３との部品誤差及び組立誤差。などが積み重なり、その結果として、個々の日射センサ９０間に図７に最大値Ｕと最小値Ｄで示す範囲のバラツキを生じ、空調機器などの制御にも期待する結果が得られないなどの課題を生じるものとなっていた。
【０００６】
【課題を解決するための手段】
本発明は、前記した従来の課題を解決するための具体的手段として、所定のパターンとして配置された複数の受光素子と、該受光素子に対し光軸を鉛直方向として上方から覆う集光レンズとから成り、前記複数の受光素子間の出力比により太陽の仰角及び方位角を計測する日射センサにおいて、前記受光素子を配置しフランジ部を設けた受光素子ホルダと、前記フランジ部の外径より大きな内径を有し前記受光素子ホルダの側に突出した嵌着部を設けた前記集光レンズとには、前記光軸に直交する面で接触し且つ前記受光素子ホルダと前記集光レンズとを、前記フランジ部の外径と前記嵌着部の内径との寸法差の隙間の範囲で摺動自在とする摺動面が設けられていることを特徴とする日射センサ、及び、上記の日射センサにおいて、前記光軸方向に基準光源を配置し、この基準光源からの光に対して前記複数の受光素子からの出力が全て等しくなるように集光レンズ、若しくは、受光素子ホルダを前記摺動面に沿い摺動させ、出力差が可及的に低減された時点で前記集光レンズと受光素子ホルダとを固定して成ることを特徴とする日射センサの出力調整方法を提供することで、個々の日射センサ間にバラツキを生じないものとして課題を解決するものである。
【０００７】
【発明の実施の形態】
つぎに、本発明を図に示す実施形態に基づいて詳細に説明する。図１、図２に符号１で示すものは本発明に係る日射センサであり、この日射センサ１は、例えば４個など複数の受光素子２（ａ〜ｄ）と、この受光素子２（ａ〜ｄ）が所定の配置として設置される受光素子ホルダ３と、前記受光素子ホルダ３を上方から覆うようにして取付けられる集光レンズ４とから成るものである点は従来例のものと同様である。
【０００８】
ここで、本発明では前記受光素子ホルダ３にフランジ部３ａを設けると共に、前記集光レンズ４には略円筒状とした嵌着部４ａを設けるものであり、このときに、前記受光素子ホルダ３に設けられるフランジ部３ａは、後に説明する集光レンズ４の嵌着部４ａの内径φ１よりも適宜に小さい外径φ２として形成され、同時にフランジ部３ａの上面、即ち、集光レンズ４に対持する側の面は平面とした摺動面３ｂとされている。
【０００９】
また、集光レンズ４に設けられる嵌着部４ａは、上記にも説明したように略円筒状に下方、即ち、受光素子ホルダ３の側に向い突出して形成されるものとされているが、同時に外周寄りの適宜範囲には平面状とされたホルダ突接部４ｂが集光レンズ１の光軸Ｘと直交する平面として設けられ、前記受光素子ホルダ３の摺動面３ｂと突接させた状態で、集光レンズ４と受光素子２（ａ〜ｄ）とに所定の間隔が与えられるものとされている。
【００１０】
上記の説明のように、受光素子ホルダ３と集光レンズ４とを構成したことで、図２にも示すように、受光素子ホルダ３と集光レンズ４とを組合わせたときには、受光素子ホルダ３と集光レンズ４とは、（嵌着部４ａの内径φ１）−（フランジ部３ａの外径φ２）＝ΔＹだけの水平方向へ移動の自由を与えられるものとなり、且つ、移動によって受光素子２（ａ〜ｄ）ろ集光レンズ４との距離は変らないものとなる。
【００１１】
そして、本発明では図３に示す出力調整方法を行うことで、個々の日射センサ１間に生じていた特性のバラツキを補正するものである。以下、上記の構成とした本発明の日射センサ１に対する出力調整方法を、実際の実施の手順に従い詳細に説明する。
【００１２】
先ず、第一の手順として、集光レンズ４の光軸Ｘ上に基準光源１０を位置させて固定し、そして、摺動面３ｂとホルダ突接部４ｂとが突接する状態として受光素子ホルダ３を、例えばマニピュレータ１１など平面上で自在な位置に受光素子ホルダ３を設定可能とする機器に保持させ、例えば高感度の電流計などで、図４に示すように受光素子２（ａ〜ｄ）それぞれからの出力Ｉａ、Ｉｂ、Ｉｃ、Ｉｄを計測する。
【００１３】
このとき、最初の状態では、大部分の場合、それぞれの受光素子２（ａ〜ｄ）からの出力には差を生じているのが通常であるので、第二の手順としては、例えば（受光素子２ａの出力Ｉａ）＞（受光素子２ｂの出力Ｉｂ）となる場合であれば、受光素子２ｂが集光レンズ４の中心に向い、受光素子２ａが集光レンズ４の中心から遠ざかるように、受光素子ホルダ３を前記マニピュレータ１１で移動させ、両者の出力が同一となるようにする。
【００１４】
同様にして、各受光素子２（ａ〜ｄ）間の出力の比較を行いながら、受光素子ホルダ３を移動させることで、全ての受光素子２（ａ〜ｄ）からの出力差が最も少なくなる集光レンズ４と受光素子ホルダ３との相互位置が求められるものとなり、本発明では、それが得られた時点で、第三の手順として、例えば接着などにより集光レンズ４と受光素子ホルダ３とを固定する。
【００１５】
尚、前記基準光源１０について補足を行えば、この基準光源１０は日射センサ１の実際の使用状態でを車載して使用する状態である太陽光線に近似させるために、平行光線で且つ均一な照度を得られるものが好ましく、これは、例えばコリメータなどを使用することで目的が達せられるものとなる。
【００１６】
図４は、以上説明の出力調整方法を全ての日射センサ１に施した後の、複数の日射センサ１間における仰角測定値のバラツキを示すグラフであり、従来例の日射センサで示したバラツキ（図７参照）に比較して、本発明に係る日射センサ１では最大値Ｕと最小値Ｄが近接し、格段にバラツキは減少するものとなり、何れの日射センサ１を使用した場合においても、ほぼ同一な空調機器の制御が行えるものとなることが明らかである。
【００１７】
【発明の効果】
以上に説明したように本発明により、受光素子を配置した受光素子ホルダと集光レンズとには光軸に直交する面で接触し且つ受光素子ホルダと集光レンズとを接触面で摺動自在とする調整面が設けられている日射センサとし、これに加えて、集光レンズの光軸方向に基準光源を配置し、この基準光源からの光に対して複数の受光素子からの出力が等しくなるように集光レンズ、若しくは、受光素子ホルダを接触面に沿い摺動させ、出力差が可及的に低減された時点で集光レンズと受光素子ホルダとを固定して成る日射センサの出力調整方法を実施することで、個々の日射センサ間に太陽仰角の測定結果にバラツキを生じないものとして、空調機器などに対する制御の精度を向上させるという極めて優れた効果を奏するものである。
【図面の簡単な説明】
【図１】  本発明に係る日射センサの実施形態を示す平面図である。
【図２】  図１のＡ−Ａ線に沿う断面図である。
【図３】  同じく本発明に係る日射センサの出力調整方法を示す説明図である。
【図４】  本発明に係る日射センサのバラツキの状態を示すグラフである。
【図５】  従来例を示す平面図である。
【図６】  図５のＢ−Ｂ線に沿う断面図である。
【図７】  従来例のバラツキの状態を示すグラフである。
【符号の説明】
１……日射センサ
２（ａ〜ｄ）……受光素子
３……受光素子ホルダ
３ａ……フランジ部
３ｂ……摺動面
４……集光レンズ
４ａ……嵌着部
４ｂ……ホルダ突接部
１０……基準光源
Ｘ……光軸
【図１】
0004780745.tif 000002
【図２】
0004780745.tif 000003
【図３】
0004780745.tif 000004
【図４】
0004780745.tif 000005
【図５】
0004780745.tif 000006
【図６】
0004780745.tif 000007
【図７】
0004780745.tif 000008